(57)【要約】【課題】本発明は、密封するまでの間、簡易かつ確実に機密資料等を保管することのできる段ボール箱用シート及び段ボール箱を提供することを目的とする。【解決手段】本発明の段ボール箱用シート１は、組み立てることで箱を構成するものであり、上記箱の一側壁の少なくとも一部を扉状に開閉可能に構成する第一破断誘導線と、上記箱のいずれかの側壁から突出する係合舌片５０を形成するよう構成する第二破断誘導線と、上記箱のいずれかの側壁に上記係合舌片５０が係合可能なスリット５１を構成する第三破断誘導線とを備える。係合舌片５０は、帯状の基部５２と、この基部５２の突出端に連続し、基部５２より幅広かつ略半円形の頭部５３とを有し、この頭部５３の突出長さＬ３の最大幅Ｗ２に対する比が０．４以上である。【選択図】図５
2014184970.tif 000002
【特許請求の範囲】
【請求項１】
組み立てることで箱を構成するよう形成される段ボール箱用シートであって、
上記箱の一側壁の少なくとも一部を扉状に開閉可能に構成する第一破断誘導線と、
上記箱のいずれかの側壁から突出する係合舌片を形成するよう構成する第二破断誘導線と、
上記箱のいずれかの側壁に上記係合舌片が係合可能なスリットを構成する第三破断誘導線と
を備え、
上記係合舌片が、帯状の基部と、この基部の突出端に連続し、基部より幅広かつ略半円形の頭部とを有し、
この頭部の突出長さの最大幅に対する比が０．４以上であることを特徴とする段ボール箱用シート。
【請求項２】
上記頭部が、上記基部との連続端側左右に対称な一対の突出部を有している請求項１に記載の段ボール箱用シート。
【請求項３】
上記一対の突出部が、突出方向側に形成され、突出方向につれて縮幅するテーパ面を有している請求項２に記載の段ボール箱用シート。
【請求項４】
上記係合舌片の突出方向が、中芯の稜線方向と略垂直である請求項１、請求項２又は請求項３に記載の段ボール箱用シート。
【請求項５】
四角筒状体を構成するよう連設される方形の側面部、底面部、側面部、天面部及び糊代部と、
２つの側面部の両端縁から延出する二対の横フラップと、
上記底面部の両端縁から延出する一対の下フラップと、
上記天面部の両端縁から延出し、上記一対の下フラップに貼設される一対の上フラップと
を備え、
上記第一破断誘導線が、上記天面部及び糊代部に端縁と略平行に形成され、
上記第二破断誘導線が、上記二対の横フラップのうちの少なくとも一つ横フラップに形成され、
上記第三破断誘導線が、上記一対の上フラップのうちの一方の上フラップに形成され、
上記少なくとも一つの横フラップには、上記一方の上フラップが貼設される一対の貼設領域が設けられ、
上記第二破断誘導線が、上記一対の貼設領域間に形成されている請求項１から請求項４のいずれか１項に記載の段ボール箱用シート。
【請求項６】
請求項１から請求項５のいずれか１項に記載の段ボール箱用シートを組み立ててなる段ボール箱。
【発明の詳細な説明】
【技術分野】
【０００１】
本発明は、例えば機密古紙を廃棄するためにリサイクル利用される段ボール箱及びこれを組み立てるための段ボール箱用シートに関する。
【背景技術】
【０００２】
従来、経理情報、顧客情報、技術情報等の機密性の高い情報が記載された機密資料は、廃棄用の段ボール箱に一定期間保管された後、この段ボール箱に密封された状態で溶解処理等の廃棄処理がなされている（特開２０１０−８４２６２号公報参照）。
【０００３】
このような機密資料を廃棄するための段ボール箱としては、例えばコピー用紙を収容していた段ボール箱のように、既に用いられていた包装箱が再利用されることが一般的である。段ボール箱の再利用を行う場合、段ボール箱内の機密資料が所定量以下であると、その後に段ボール箱に機密資料を追加投入することがある。このような場合、機密資料が追加投入されることを想定し、段ボール箱を密封せずにフラップ等の段ボール箱の一部により閉じただけの状態で保管されることがある。
【０００４】
しかし、フラップ等により閉じた状態だけであると、不用意にフラップが開いてしまうおそれがあり、その場合には段ボール箱内の機密資料が風等によって飛散してしまうおそれがある。
【先行技術文献】
【特許文献】
【０００５】
【特許文献１】特開２０１０−８４２６２号公報
【発明の概要】
【発明が解決しようとする課題】
【０００６】
本発明は、このような不都合に鑑みてなされたものであり、密封するまでの間、簡易かつ確実に機密資料等を保管することができる段ボール箱用シート及び段ボール箱を提供することを目的とする。
【課題を解決するための手段】
【０００７】
上記課題を解決するためになされた発明は、
組み立てることで箱を構成するよう形成される段ボール箱用シートであって、
上記箱の一側壁の少なくとも一部を扉状に開閉可能に構成する第一破断誘導線と、
上記箱のいずれかの側壁から突出する係合舌片を形成するよう構成する第二破断誘導線と、
上記箱のいずれかの側壁に上記係合舌片が係合可能なスリットを構成する第三破断誘導線と
を備え、
上記係合舌片が、帯状の基部と、この基部の突出端に連続し、基部より幅広かつ略半円形の頭部とを有し、
この頭部の突出長さの最大幅に対する比が０．４以上であることを特徴とする段ボール箱用シートである。
【０００８】
当該段ボール箱用シートを組み立てた段ボール箱は、第一破断誘導線に沿って一側壁を破断することで開口を形成することができる。この開口からは、物品の取り出すことができ、物品の取り出し後は上記開口から機密古紙等を内部に投入することができる。機密古紙等を内部に投入した後は、開口を一側壁によって閉鎖し、第二破断誘導線に沿って切断することで形成される係合舌片を第三破断誘導線に沿って切断することで形成されるスリットに係合させることで、一側壁により開口を閉鎖した状態で固定することができる。そのため、開口を確実に閉鎖することができるため、不用意に開口が開放してしまうことを的確かつ容易に防止することができる。
【０００９】
また、頭部の突出長さの最大幅に対する比が０．４以上であることで、頭部の突出方向の寸法が一定以上確保される。そのため、頭部の強度を適切に維持することが可能となるため、係合舌片の係脱が繰り返し行われる場合であっても頭部の損傷を抑制でき、頭部の挿入が困難となることを抑制できる。その結果、係合舌片の係脱を繰り返し行ったとしてもスリットへの係合舌片の挿入を簡易かつ適切に行えるとともに、係合状態を適切に維持できる。
【００１０】
さらに、係合舌片が略半円の頭部と帯状の基部からなり、そのような係合舌片をスリットに挿入する構成であると、頭部をスリットに挿入しやすく、頭部とスリットの内面との挿入抵抗を小さくできる。そのため、スリットに頭部を挿入する作業を円滑に行うことができる。また、頭部が基部よりも幅広であることで、頭部と基部との段差によって、スリットに対して頭部を挿入したときに頭部がスリットから抜けにくくなる。そのため、係合舌片がスリットに係合された状態が適切に維持されるので、段ボール箱を密封するまでの間、確実に機密古紙を保管することができる。
【００１１】
上記頭部としては、上記基部との連続端側左右に対称な一対の突出部を有しているのが好ましい。このように一対の突出部を設けることで、頭部をスリットに挿入した場合、一対の突出部がスリットの周辺に引っ掛かる。そのため、当該段ボール箱用シートを組み立てた段ボール箱では、スリットに対する係合舌片の係合状態を適切に維持することができ、上記段ボール箱を密封するまでの間、確実に機密古紙を保管することができる。
【００１２】
上記一対の突出部としては、突出方向側に形成され、突出方向につれて縮幅するテーパ面を有しているのが好ましい。突出部に縮幅するテーパ面を設けることで、スリットへの頭部の挿入時にテーパ面がスリットの端縁に接触する。このとき、テーパ面が縮幅するように設けられていることから、テーパ面によってスリットに対する頭部の挿入を円滑に行うことができると同時に、挿入時の違和感を低減することができる。
【００１３】
上記係合舌片の突出方向が中芯の稜線方向と略垂直であるとよい。このような係合舌片は、稜線方向に沿って折り曲がり易いため、基部を折り曲げることでスリットへの頭部の位置の調整が容易となり、スリットに頭部を挿入する作業が容易となる。また、頭部がスリットに挿入された状態では、基部が稜線方向に沿って折り曲げられることで、基部や頭部の復元力によって頭部がスリットの周辺に押圧力を作用させることとなる。その結果、係合舌片がスリットに係合された状態が適切に維持されるので、上記段ボール箱を密封するまでの間、確実に機密古紙を保管することができる。
【００１４】
当該段ボール箱用シートは、
四角筒状体を構成するよう連設される方形の側面部、底面部、側面部、天面部及び糊代部と、
２つの側面部の両端縁から延出する二対の横フラップと、
上記底面部の両端縁から延出する一対の下フラップと、
上記天面部の両端縁から延出し、上記一対の下フラップに貼設される一対の上フラップと
を備え、
上記第一破断誘導線が、上記天面部及び糊代部に端縁と略平行に形成され、
上記第二破断誘導線が、上記二対の横フラップのうちの少なくとも一つ横フラップに形成され、
上記第三破断誘導線が、上記一対の上フラップのうちの一方の上フラップに形成され、
上記少なくとも一つの横フラップには、上記一方の上フラップが貼設される一対の貼設領域が設けられ、
上記第二破断誘導線が、上記一対の貼設領域間に形成されている。
【００１５】
当該段ボール箱用シートを組み立てた段ボール箱は、第二破断誘導線に沿って破断することで横フラップに係合舌片を形成した場合、この横フラップに係合舌片が抜き取られた貫通孔が形成される。この貫通孔の存在により、横フラップの強度が低下し、段ボール箱としての強度が低下することが懸念される。これに対して、一対の貼設領域間に第二破断誘導線を設けることで、一対の貼設領域間に上記貫通孔が位置する。ここで、当該段ボール箱用シートによる段ボール箱の形成時には、一対の貼設領域にホットメルト等の接着剤が塗布される。そのため、上記貫通孔の周囲が一対の貼設領域に塗布された接着剤によって補強される。その結果、係合舌片が抜き取られて横フラップに貫通孔が形成されたとしても、接着剤によって強度を適切に維持することが可能となる。
【００１６】
上記課題を解決するためになされた別の発明は、
当該段ボール箱用シートを組み立ててなる段ボール箱である。
【００１７】
当該段ボール箱は、当該段ボール箱用シートを組み立ててなるものであるから、係合舌片をスリットに係合させて一側壁を固定することで、開口を確実に閉鎖することができるため、不用意に開口が開放してしまうことを的確かつ容易に防止することができる。
【００１８】
また、係合舌片が略半円の頭部と帯状の基部からなるため、係合舌片の係脱が繰り返し行われる場合であっても、スリットへの係合舌片の挿入を簡易かつ適切に行えるとともに係合状態を適切に維持できる。さらに、頭部が半円形であるために、スリットに頭部を挿入する作業を円滑に行うことができるとともに、スリットに対して頭部を挿入したときに頭部がスリットから抜けにくくなる。そのため、係合舌片がスリットに係合された状態が適切に維持されるので、段ボール箱を密封するまでの間、確実に機密古紙を保管することができる。
【発明の効果】
【００１９】
以上説明したように、本発明によれば、段ボール箱を密封するまでの間、機密古紙を簡易かつ確実に保管することができる。
【図面の簡単な説明】
【００２０】
【図１】本発明の一実施形態に係る段ボール箱用シートを示す平面図である。
【図２】図１の段ボール箱用シートを組み立てた段ボール箱を示す斜視図である。
【図３】図２の段ボール箱を開封した状態を示す斜視図である。
【図４】図１の段ボール箱用シートの断面状態を説明するための断面図である。
【図５】係合舌片及びスリットの説明するための平面図である。
【図６】図５の二点鎖線で囲んだ部分を拡大して示した平面図である。
【図７】係合舌片をスリットに係合させる作業を説明するための要部断面図である。
【図８】係合舌片をスリットに係合させた状態を示す要部断面図である。
【図９】内フラップに設けた接着部と第二破断誘導線との位置関係を示す要部平面図である。
【図１０】図３の開封状態から、係合舌片をスリットに係合させて開口を閉鎖した状態を示す斜視図である。
【図１１】本発明の他の実施形態に係る段ボール箱の開封状態を示す斜視図である。
【図１２】図１１の開封状態から、係合舌片をスリットに係合させて開口を閉鎖した状態を示す斜視図である。
【発明を実施するための形態】
【００２１】
以下、適宜図面を参照しつつ、本発明の実施形態を詳説する。
【００２２】
［段ボール箱用シート及び段ボール箱］
図１に示す段ボール箱用シート１は、図２及び図３に示す段ボール箱２を組み立てるためのものである。すなわち、図１は、図２及び図３に示す段ボール箱２の展開図に相当する。
【００２３】
図２及び図３に示した段ボール箱２は、機密古紙を廃棄するためにリサイクル利用されるものである。段ボール箱２は、コピー用紙等の商品を包装するものであり、この商品を取り出した後に機密古紙を収容し、機密古紙を廃棄するために使用することができる。段ボール箱２は、多くの機密古紙が長方形であることから、機密古紙サイズに対応させた直方体状に形成される。段ボール箱２のサイズとしては特に限定されず、後述するように商品の大きさ等を考慮して適宜設定される。
【００２４】
このような段ボール箱２は、側面部２１、底面部２２、側面部２３及び天面部２４からなる四角筒状体２０を有している。段ボール箱２はさらに、糊代部２５及び一対の側面部２６，２７を有している。
【００２５】
糊代部２５は、商品の包装時に側面部２１に固定され、段ボール箱２の内部に収容された商品を密封するものである。
【００２６】
側面部２６は、天面部２４の端縁から延出する上側外フラップ３１、底面部２２の端縁から延出する下側外フラップ３２、側面部２１及び側面部２３の端縁から延出する内フラップ３３，３４により形成されている。側面部２７は、天面部２４の端縁から延出する上側外フラップ３５、底面部２２の端縁から延出する下側外フラップ３６、側面部２１及び側面部２３の端縁から延出する内フラップ３７，３８により形成されている。
【００２７】
天面部２４及び糊代部２５は第一破断誘導線４１を有している。この第一破断誘導線４１は、側面部２６の上端縁よりも側面部２７の上端縁に近い位置において、糊代部２５の端縁２５Ａから天面部２４を横断するように四角筒状体２０の周方向に沿って設けられている。そのため、糊代部２５の端縁２５Ａを始点とし、第一破断誘導線４１に沿って糊代部２５及び天面部２４を切断して天面部２４の一部２４Ａを回動させることにより、天面部２４の一部２４Ｂと側面部２７との連続を維持しつつ、方形の開口２９を形成することができる。このような開口２９を形成することにより、段ボール箱２の内部から開口２９を介してコピー用紙等の商品を取り出すことができる。一方、段ボール箱２は、開口２９から商品の取り出し後には、開口２９から機密古紙を内部に投入して天面部２４の一部２４Ａによって開口２９を閉鎖することで、内部に機密古紙を保管することができる。天面部２４の一部２４Ａは、後述する係合舌片５０をスリット５１に挿入することで開口２９を閉鎖した状態で内フラップ３３，３４及び側面部２１に固定される（図１０参照）。
【００２８】
ここで、第一破断誘導線４１は、側面部２７の上端縁からの距離が、側面部２７の上端縁と側面部２６の上端縁との距離の０．１５倍以上０．４倍以内であることが好ましく、０．２倍以上０．３倍以下であることがより好ましい。上記距離が上記上限を超えると、第一破断誘導線４１に沿って天面部２４を破断することで形成される開口２９を十分に広くすることができなくなるおそれがある。一方、上記距離が上記下限未満であると、開口２９を形成したときに側面部２１との接合状態が維持される糊代部２５の部分の接合強度に欠けてしまうおそれがある。
【００２９】
内フラップ３３，３４は、第二破断誘導線４２を有している。この第二破断誘導線４２は、係合舌片５０を形成するものである。すなわち、第二破断誘導線４２に沿って切断することで、内フラップ３３，３４から、又はこれらのフラップ３３，３４と側面部２１との境界から突出する係合舌片５０を形成することができる。この係合舌片５０は、段ボール箱２をリサイクル利用するときに後述するスリット５１に係合させることで、上側外フラップ３１とともに天面部２４を内フラップ３３，３４に固定し、段ボール箱２を密封するために使用される（図８及び図１０参照）。
【００３０】
上側外フラップ３１は第三破断誘導線４３を有している。この第三破断誘導線４３は、係合舌片５０を係合させるためのスリット５１を形成するためのものである。すなわち、第三破断誘導線４３に沿って切断することで、上側外フラップ３１を貫通するスリット５１を形成することができる。
【００３１】
このような第一破断誘導線４１、第二破断誘導線４２、及び第三破断誘導線４３は、段ボール箱用シート１（図１参照）の形成時に、ミシン目加工やハーフカット加工を施すことで設けることができる。第一から第三破断誘導線４１〜４３の具体的な加工方法は後述する。
【００３２】
段ボール箱２は、商品がコピー用紙である場合、このコピー用紙サイズに対応した大きさとされる。段ボール箱２の大きさとしては、例えば幅（Ｄ５方向の内寸）が２９ｃｍ以上３１ｃｍ以下、奥行（Ｄ６方向の内寸）が４１ｃｍ以上４３ｃｍ以下とされる。このような大きさの段ボール箱２では、Ａ４サイズ又はＡ３サイズのコピー用紙の包装体（５００枚等の所定数のコピー用紙を包装したもの）を複数、又は所定数の機密古紙を適切に収容することができる。段ボール箱２の大きさとしては、幅（Ｄ５方向の内寸）が２５ｃｍ以上２７ｃｍ以下で奥行（Ｄ６方向の内寸）が３５ｃｍ以上３７ｃｍ以下とすることもできる。このような大きさの段ボール箱２では、Ｂ５サイズ又はＢ４サイズのコピー用紙の包装体及び機密古紙を適切に収容することができる。例示した何れの場合においても、段ボール箱２の高さ（内寸）は適宜設定可能であるが、例えば２２ｃｍ以上２４ｃｍ以下とすることができる。なお、内寸とは直方体形状に形成された状態（箱状態）において内部の収容空間の大きさ、即ち各壁の内面間の距離を意味する。
【００３３】
このような段ボール箱２を形成するために、図１に示した段ボール箱用シート１は、段ボールシートを加工して形成される。この段ボールシートとしては、強度の高さ及び加工成形の容易さの観点から、図４に示すように波形に形成された中芯７０、この中芯７０の両面に積層されるライナ７１，７２を備える両面段ボールが用いられている。段ボール箱用シート１では、中芯７０の稜線が図１の矢印Ｄ１，Ｄ２方向（図４の紙面に直交する方向）に延びている。また、段ボール箱用シート１の厚みＴは、例えば１ｍｍ以上５ｍｍ以下、好ましくは１．５ｍｍ以上３．５ｍｍ以下とされる。
【００３４】
図１の段ボール箱用シート１は、複数のパネル１１〜１５，１６Ａ〜１９Ａ，１６Ｂ〜１９Ｂを有している。各パネル１１〜１５，１６Ａ〜１９Ａ，１６Ｂ〜１９Ｂどうしの連設部位は、折り目８１〜８４，８５Ａ〜８８Ａ，８５Ｂ〜８８Ｂが形成されている。これらの折り目８１〜８４，８５Ａ〜８８Ａ，８５Ｂ〜８８Ｂを形成しておくことにより、段ボール箱２の組み立てが容易となる。なお、折り目８１〜８４，８５Ａ〜８８Ａ，８５Ｂ〜８８Ｂの形成には、例えば罫線加工を採用することができる。
【００３５】
パネル１１〜１４は、段ボール箱２において四角筒状体１０（図２参照）を構成するものであり、それぞれ側面部２１、底面部２２、側面部２３及び天面部２４（図２参照）となるものである。パネル１１、パネル１２、パネル１３及びパネル１４は、この順序で連設されている。パネル１１及びパネル１３は略同型及び略同サイズの矩形形状を有しており、パネル１２及びパネル１４は略同型及び略同サイズの矩形形状を有している。
【００３６】
パネル１５は、段ボール箱２において糊代部２５を構成するものである。このパネル１５は、略矩形形状を有している。パネル１５の端部は、角部が角落としされている。Ｄ３方向側の端部の角部１５Ａは、Ｄ４方向側の端部の角部１５Ｂよりも大きく角落としされており、Ｄ３方向側の端部の角部のほうがＤ４方向側の端部の角部よりも曲率が大きくされている。
【００３７】
パネル１１，１５には、第一破断誘導線８９Ａが形成されている。この第一破断誘導線８９Ａは、段ボール箱２の第一破断誘導線４１（図２参照）に対応するものであり、パネル１９Ａよりもパネル１９Ｂ寄りの位置に形成されている。具体的には、第一破断誘導線８９Ａは、折り目８８Ｂからの距離Ｌ１が、折り目８８Ａと折り目８８Ｂとの間の距離（パネル１４のＤ３，Ｄ４方向の距離）Ｌ２の０．１５倍以上０．４倍以内であることが好ましく、０．２倍以上０．３倍以下であることがより好ましい。
【００３８】
パネル１６Ａ、パネル１７Ａ、パネル１８Ａ及びパネル１９Ａは、段ボール箱２において、それぞれ内フラップ３４、下側外フラップ３２、内フラップ３３及び上側外フラップ３１（図２参照）を構成するものである。これらのパネル１６Ａ〜１９Ａは、側面部２６（図２参照）を形成するものである。パネル１７Ａ，１９Ａは、切欠１７Ａａ，１９Ａａを有している。これらの切欠１７Ａａ，１９Ａａは、段ボール箱用シート１によって段ボール箱２を組み立てたときに、側面部２６に切欠部２６Ａを形成するものである。この切欠部２６Ａは、段ボール箱２を開封するときに利用されるものである（図２参照）。
【００３９】
パネル１６Ｂ、パネル１７Ｂ、パネル１８Ｂ及びパネル１９Ｂは、段ボール箱２において、それぞれ内フラップ３８，下側外フラップ３６、内フラップ３７及び上側外フラップ３５に対応するものである。これらのパネル１６Ｂ〜１９Ｂは、側面部２７を形成するものである。
【００４０】
パネル１６Ａ，１８Ａには、第二破断誘導線８９Ｂが形成されている。この第二破断誘導線８９Ｂは、段ボール箱２の第二破断誘導線４２（図３参照）に対応するものであり、係合舌片５０（図３参照）を形成するためものである。この係合舌片５０は、上述のように開封した段ボール箱２をリサイクル利用するときに、第二破断誘導線８９Ｂ（図３の符号４２）に沿って内フラップ３３，３４（図３参照）の一部を切断することで形成されるものである。
【００４１】
パネル１９Ａには、第三破断誘導線８９Ｃが形成されている。この第三破断誘導線８９Ｃは、段ボール箱２の第三破断誘導線４３（図２参照）に対応するものであり、スリット５１（図３参照）を形成するためものである。このスリット５１は、上述のように開封した段ボール箱２をリサイクル利用するときに、第三破断誘導線８９Ｃ（図２の符号４３）に沿って上側外フラップ４３（図２参照）を切り抜くことで形成されるものである。スリット５１は、後述するように開封後の段ボール箱２に機密古紙を保管するときに、開口２９を閉鎖するために係合舌片５０が係合されるものである（図１０参照）。
【００４２】
第一破断誘導線８９Ａ、第二破断誘導線８９Ｂ及び第三破断誘導線８９Ｃは、ミシン目加工やハーフカット加工を施すことで設けることができる。具体的には、例えばミシン目加工及びハーフカット加工の両方が施された易破断線、ミシン目加工のみが施されている通常破断線を採用可能である。なお、ミシン目加工とは、段ボール箱用シート１の表面から裏面に貫通した切断部を一定の間隔で連続して形成するものである。一方、ハーフカット加工とは、段ボール箱用シート１を構成するライナの一方をカットするものである。従って、易破断線は、ミシン加工によりミシン目を形成した後、ハーフカット加工により表面及び裏面のうちの一方のライナ７０，７１を、ミシン目に沿って切断することで形成できる。
【００４３】
図５に示すように、係合舌片５０は、基部５２及び頭部５３を有している。基部５２は、帯状に形成されている。この基部５２は、第二破断誘導線４２（図１の８９Ｂ）に沿って内フラップ３３，３４の一部を切断したときに、内フラップ３３，３４から、又は側面部２１から突出する部分である。頭部５３は、基部５２の突出端に連続し、基部５２の幅寸法Ｗ１よりＤ１，Ｄ２方向の最大幅Ｗ２が大きい略半円形に形成されている。
【００４４】
このような略半円形の頭部５３及び帯状の基部５２からなる係合舌片５０を設けることで、スリット５１に頭部５３を挿入する作業を円滑に行うことができる。また、スリット５１に対して頭部５３を挿入したときに、頭部５３と基部５２との段差によって頭部５３がスリット５１から抜けにくくなる。そのため、係合舌片５０がスリット５１に係合された状態が適切に維持される。
【００４５】
頭部５３は、基部５２とのＤ４方向側の端部からＤ１，Ｄ２方向に突出する一対の突出部５４，５５を有している。これらの突出部５４，５５は、略台形形状であり、Ｄ１，Ｄ２方向に対称に形成されている。突出部５４，５５は、Ｄ３方向側に形成され、Ｄ３方向に縮幅するテーパ面５６，５７を有している。突出部５４，５５に縮幅するテーパ面５６，５７を設けることで、スリット５１への頭部５３の挿入時にテーパ面５６，５７がスリット５１の端縁に接触する。このとき、テーパ面５６，５７が縮幅するように設けられていることから、テーパ面５６，５７によってスリット５１に対する頭部５３の挿入を円滑に行うことができると同時に、挿入時の違和感を低減することができる。頭部５３をスリット５１に挿入した後においては、一対の突出部５４，５５がスリット５１の周辺に引っ掛かることから、頭部５３がスリット５１から抜けにくくなる。
【００４６】
係合舌片５０及びスリット５１における各部の寸法は、段ボール箱用シート１（図１参照）により形成される段ボール箱２のサイズに応じて決定すればよい。また、基部５２の幅寸法Ｗ１は、後述するように段ボール箱２の組み立てに利用する一対の接着部６１，６２の間に第二破断誘導線４２を設ける場合には、一対の接着部６１，６２の間の距離Ｌ８（図９参照）に応じて決定することもできる。
【００４７】
段ボール箱２がＢ４サイズのコピー用紙を２，５００枚収容するものである場合、各部の寸法は、以下のように設定される。
基部５２の幅寸法Ｗ１は、例えば２０ｍｍ以上５５ｍｍ以下、好ましくは３０ｍｍ以上４５ｍｍ以下である。
頭部５３の最大幅Ｗ２は、例えば３５ｍｍ以上６５ｍｍ以下、好ましくは４０ｍｍ以上５０ｍｍ以下である。
頭部５３における突出部５４，５５以外の部分の最大幅寸法（円弧端間距離）Ｗ３は、例えば３０ｍｍ以上６０ｍｍ以下、好ましくは３５ｍｍ以上４５ｍｍ以下である。
頭部５３のＤ３方向の寸法（突出長さ）Ｌ３は、例えば１５ｍｍ以上５５ｍｍ以下、好ましくは３５ｍｍ以上４５ｍｍ以下である。
【００４８】
突出長さＬ３の最大幅Ｗ２に対する比（Ｌ３／Ｗ２）は、０．４以上であり、好ましくは０．５以上である。上記Ｌ３／Ｗ２の上限は、例えば０．８以下、好ましくは０．７以下である。Ｌ３／Ｗ２が０．４以上であることで、頭部５３のＤ３方向の寸法が一定以上確保される。これにより、頭部５３の強度を適切に維持することが可能となるため、係合舌片５０の係脱が繰り返し行われる場合であっても頭部５３の損傷を抑制でき、スリット５１に対する頭部５３の挿入が困難となることを抑制できる。その結果、係合舌片５０の係脱を繰り返し行ったとしてもスリット５１への係合舌片５０の挿入を簡易かつ適切に行え、また係合状態を適切に維持できる。
【００４９】
突出部５４，５５のＤ１，Ｄ２方向への突出寸法は、図６に示すように基部５２からの寸法Ｌ４が、例えば２ｍｍ以上７ｍｍ以下、好ましくは２．５ｍｍ以上５ｍｍ以下であり、頭部５３の円弧端５３Ａからの寸法Ｌ５が、例えば１ｍｍ以上６ｍｍ以下、好ましくは１，５ｍｍ以上４ｍｍ以下である。突出部５４，５５の突出寸法Ｌ４，Ｌ５を上記範囲とすることで、スリット５１に対して頭部５３を円滑に挿入でき、またスリット５１に頭部５３を挿入した後においてスリット５１に対する係合舌片５０の係合状態を適切に維持することができる。
【００５０】
また、テーパ面５６（５７）の傾斜角度θは、例えば、３０°以上８０°以下、好ましくは４５°以上７０°以下である。
【００５１】
一方、スリット５１の幅寸法Ｗ４は、段ボール箱用シート１の厚みＴ１（図４参照）の１倍以上３倍以下、好ましくは１．２５倍以上２．５倍以下である。具体的には、幅寸法Ｗ４は、例えば１ｍｍ以上１０ｍｍ以下、好ましくは２ｍｍ以上５ｍｍ以下である。
スリット５１の長さ寸法Ｌ６は、頭部５３の最大幅寸法Ｗ２よりも小さく、頭部５３の幅寸法（円弧端間５３Ａの距離）Ｗ３よりも大きくされる。具体的には、長さ寸法Ｌ６は、例えば３２．５ｍｍ以上６２．５ｍｍ以下、好ましくは３７．５ｍｍ以上４７．５ｍｍ以下である。
【００５２】
また、スリット５１の端縁と突出部５４，５５の端縁との間の最小幅Ｌ７は、例えば０．５ｍｍ以上５ｍｍ以下、好ましくは１ｍｍ以上３ｍｍ以下である。
【００５３】
ここで、中芯７０の稜線が図中の矢印Ｄ１，Ｄ２方向に延びていることから、係合舌片５０の突出方向Ｄ３は中芯７０の稜線方向Ｄ１，Ｄ２と略垂直である。すなわち、係合舌片５０においては、Ｄ１，Ｄ２方向に中芯７０の稜線が延びている。ここで、段ボールシートは、中芯７０の稜線方向に沿って折り曲がりやすい性質を有している。そのため、係合舌片５０は、図７に示したように、基部５２と頭部５３との境界等で適宜折り曲げることで、スリット５１に頭部５３を挿入するときに、スリット５１に対する頭部５３の位置の調整が容易となる。その結果、スリット５１に頭部５３を挿入する作業が容易となる。一方、図８に示すように、頭部５３がスリット５１に挿入された状態では、基部５２が稜線方向に沿って折り曲げられた状態であると、基部５２や頭部５３の復元力によって、頭部５３がスリット５１の周辺に押圧力を作用させることとなる。その結果、係合舌片５０がスリット５１に係合された状態が適切に維持されるので、不用意に開口２９が開放されてしまうことを抑制し、段ボール箱２を密封するまでの間、確実に機密古紙を保管することができる。
【００５４】
［段ボール箱の組み立て］
図２に示す段ボール箱２は、図１に示す段ボール箱用シート１を用いて、四角筒状体２０を形成した後に、側面部２６，２７を形成することで組み立てられる。
【００５５】
四角筒状体２０は、折り目８１〜８４に沿ってパネル１１〜１５を折り曲げた後、糊代部２５となるパネル１５を側面部２１となるパネル１１に接合することで形成される。
【００５６】
側面部２６，２７は、パネル１７Ａ，１７Ｂ，１９Ａ，１９Ｂをパネル１６Ａ，１６Ｂ，１８Ａ，１８Ｂに重なるように、折り目８５Ａ〜８８Ａ，８５Ｂ〜８８Ｂに沿って四角筒状体２０の内側に向かって略直角に折り曲げて固定することで形成される。このとき、パネル１７Ａ，１９Ａに切欠１７Ａａ，１９Ａａが形成されていることから、側面部２６には切欠部２６Ａが形成される（図２参照）。
【００５７】
パネル１６Ａ，１６Ｂ，１８Ａ，１８Ｂ（内フラップ３３〜３６）に対するパネル１７Ａ，１７Ｂ，１９Ａ，１９Ｂ（上側外フラップ３１，３５及び下側外フラップ３２，３６）の固定は、例えば接着剤等を用いて行われる。接着剤としては、例えばホットメルト接着剤が使用される。ホットメルト接着剤としては、熱可塑性樹脂をベースとするものが使用される。熱可塑性樹脂としては、アクリル系、メタクリル系、ポリ塩化ビニル系、ポリ塩化ビニリデン系、ポリフッ化ビニリデン、ポリビニルアルコール系、ポリアセタール系、ポリビニルブチラール、ポリアクリロニトリル、ポリフェニレンオキサイド、ポリスルホン、エチレン−酢酸ビニル系、ポリアミド系、ポリエステル系、ポリオレフィン系、スチレン−エラストマー系、熱可塑性ゴム、ブチルゴム、ポリウレタン、エポキシ、ポリカーボネート、ポリビニルエーテル、ポリブタジエン、セルロース系等が挙げられる。
【００５８】
接着剤は、パネル１６Ａ，１６Ｂ，１８Ａ，１８Ｂ（内フラップ３３〜３６）に塗布される。接着剤の塗布は、公知の種々の方法を採用することができる。例えば、ディスペンサーによる塗布、スクリーン印刷等を適用することができる。パネル１６Ａ，１６Ｂ，１８Ａ，１８Ｂ（内フラップ３３〜３６）には、例えば図３及び図９に示したように４つの接着部６１〜６４が形成される。これらの接着部６１〜６４のうち、一対の接着部６１，６２の間には、第二破断誘導線４２（係合舌片５０）が形成されている。少なくとも係合舌片５０の頭部５３は、一対の接着部６１，６２の間に位置している。
【００５９】
［商品の取り出し］
図２及び図３に示すように、段ボール箱２に梱包された商品は、天面部２４に開口２９を形成し、この開口２９から取り出すことができる。段ボール箱２には、開口２９を次のようにして形成することができる。まず、切欠部２６Ａを起点とし、上側外フラップ３１を内フラップ３３，３４から剥がす。次に、糊代部２５の角部１５Ａを起点とし、糊代部２５を側面部２１から剥がす。次に、第一破断誘導線４１に沿って糊代部２５及び天面部２４の一部２４Ａを破断するとともに、天面部２４の一部２４Ａを回動させることで方形の開口２９が形成される。このとき、第一破断誘導線４１が天面部２４を分断するように形成されていることから、天面部２４の一部２４Ｂと側面部２７との連続が維持される。
【００６０】
［機密古紙の保管及び密封］
段ボール箱２は、開口２９から商品の取り出し後に、開口２９から機密古紙を内部に投入して天面部２４の一部２４Ａによって開口２９を閉鎖することで、内部に機密古紙を保管し、あるいは密封することができる。
【００６１】
段ボール箱２の内部に所定数の機密古紙が収容されて、段ボール箱２を密封するまでの間、段ボール箱２に機密古紙が保管される。この場合、段ボール箱２の内部に所定数の機密古紙が収容されるまで、段ボール箱２に機密古紙の追加投入が繰り返し行われることがある。一方、段ボール箱２への機密古紙の保管時には、商品の取り出し時に形成された開口２９を閉鎖した状態とされる。このような開口２９の閉鎖は、糊代部２５を側面部２１の内側に挿入するとともに、係合舌片５０をスリット５１に挿入することで行われる。
【００６２】
段ボール箱２の内部に最初に機密古紙用を投入する場合、第二破断誘導線４２及び第三破断誘導線４３に沿って上側外フラップ３１及び内フラップ３３，３４を破断することにより係合舌片５０及びスリット５１を形成する。係合舌片５０及びスリット５１の形成と前後して、開口２９から機密古紙を投入した後、係合舌片５０をスリット５１に係合させることで段ボール箱２に機密古紙が保管される。
【００６３】
係合舌片５０へのスリット５１の係合は、スリット５１に頭部５３を挿入することで行われる。ここで、係合舌片５０は、頭部５３及び基部５２の幅方向（Ｄ１，Ｄ２方向）に中芯７０の稜線が延びている。そのため、図７に示したように基部５２と頭部５３との境界５８を折り曲げ、また基部５２等を適宜折り曲げることで、スリット５１に対する頭部５３の位置の調整が容易となる。その結果、スリット５１に頭部５３を挿入する作業が容易となる。また、頭部５３が略半円形であることから、頭部５３をスリット５１に挿入する際に、頭部５３とスリット５１の内面との接触抵抗を小さくできる。特に、係合舌片５０にテーパ面５６，５７を有する突出部５４，５５を設けることで、頭部５３をスリット５１に挿入する際に、スリット５１の端縁に突テーパ面５６，５７が接触することから、スリット５１に対する頭部５３の挿入を円滑に行うことができると同時に、挿入時の違和感を低減することができる。
【００６４】
一方、スリット５１に対して頭部５３を挿入した後には、頭部５３の最大幅寸法Ｗ２が基部５２の幅寸法Ｗ１よりも最大幅寸法が大きいことから（図５参照）、頭部５３がスリット５１から抜けにくくなる。特に、頭部５３が一対の突出部５４，５５を有すると、突出部５４，５５がスリット５１の周辺に干渉するストッパ部として作用させることができる。また、基部５２が稜線方向に沿って折り曲げられた状態であると、図８に示すように基部５２や頭部５３の復元力によって頭部５３がスリットの周辺に押圧力を作用させることとなる。その結果、係合舌片５０がスリット５１に係合された状態が適切に維持されるので、不用意に開口２９が開放されてしまうことを抑制し、段ボール箱２を密封するまでの間、確実に機密古紙を保管することができる。
【００６５】
段ボール箱２に機密古紙を追加投入する場合には、係合舌片５０とスリット５１との係合状態を解除することで開口２９を開放し、この開口２９から機密古紙を投入した後に係合舌片５０をスリット５１に係合させる。これにより、開口２９が閉鎖された状態で、天面部２４の一部２４Ａが上側外フラップ３１を介して内フラップ３３，３４に固定される。そのため、開口２９を確実に閉鎖することができ、不用意に開口２９が開放してしまうことを的確かつ容易に防止することができる。
【００６６】
このように、段ボール箱２に機密古紙を密閉し、廃棄する場合には、段ボール箱２に機密古紙を保管し、機密古紙を追加投入することが行われることがあるため、スリット５１への係合舌片５０の係脱が繰り返し行われることがある。そのため、スリット５１への係合舌片５０の挿入が円滑に行えるとともに、係合状態を適切に維持できることで、段ボール箱２への機密古紙の保管を適切に行うことができる。
【００６７】
ここで、第二破断誘導線４２に沿って内フラップ３３，３４の一部を破断することで係合舌片５０を形成した場合、内フラップ３３，３４には係合舌片５０が抜き取られた貫通孔５０Ａが形成される（図３参照）。この貫通孔５０Ａの存在により、機密古紙が密閉されるまでの間に内フラップ３３，３４の強度が低下し、段ボール箱２としての強度が低下することが懸念される。これに対して、図９に示すように、一対の接着部６１，６２の間の領域に頭部５３に対応する部分を位置させることで、貫通孔５０Ａにおける頭部５３の抜き取りによって形成された領域が一対の接着部６１，６２の間に位置する。言い換えると、貫通孔５０Ａにおける頭部５３の対応領域の上下に一対の接着部６１，６２が存在する。これらの接着部６１，６２は、例えばホットメルト接着剤等により形成されるため、貫通孔５０Ａの周囲が一対の接着部６１，６２によって補強される。そのため、係合舌片５０が抜き取られて内フラップ３３，３４に貫通孔５０Ａが形成されたとしても、一対の接着部６１，６２によって強度を適切に維持することが可能となる。
【００６８】
段ボール箱２への機密古紙の密封は、段ボール箱２の内部に所定数の機密古紙が保管された後に、天面部２４の一部２４Ａを閉じて、段ボール箱２を密閉する。具体的には、段ボール箱２の密閉は、粘着テープ等を用いて天面部２４が開かないように固定することで行われる。この密閉に際して、糊代部２５は、機密古紙の保管時と同様に側面部２１の内側に位置させてもよいが、側面部２１の外側に位置させてもよい。また、係合舌片５０は、スリット５１に係合させてもよいし、係合させなくてもよい。
【００６９】
［その他の実施形態］
上記実施形態は上記構成から上述の利点を奏するものであったが、本発明は上記実施形態の構成に限定されるものではなく、本発明の意図する範囲内において適宜設計変更可能である。
【００７０】
例えば、図１１及び図１２に示した段ボール箱９のように、上壁９０に係合舌片９１を設け、前壁９２にスリット９３を設けたものであってもよい。この場合、上壁９０の係合舌片９１を前壁９２のスリット９３に係合させることで上壁９０を前壁９２に固定することができる。このような段ボール箱９は、段ボール箱用シート１に第二破断誘導線８９Ｂ及び第三破断誘導線８９Ｃ（図１参照）を形成する位置を変更することで形成することができる。
【００７１】
これとは逆に、係合舌片９１を前壁９２に設け、スリット９３を上壁９０に設けるようにしてもよい。
【００７２】
係合舌片の突出部の形状は、図５等に示した形状には限定されず、また突出部は省略してもよい。
【産業上の利用可能性】
【００７３】
本発明の機密古紙用段ボール箱は、例えばコピー用紙を梱包する包装箱などに好適に用いられ、この包装箱を再利用して機密古紙を密封する箱として好適に用いられる。
【符号の説明】
【００７４】
１  段ボール箱用シート
２  段ボール箱
２１，２３，２６，２７  側面部
２２  底面部
２４  天面部
３１，３５  上側外フラップ
３２，３６  下側外フラップ
４１，８９Ａ  第一破断誘導線
４２，８９Ｂ  第二破断誘導線
４３，８９Ｃ  第三破断誘導線
５０  係合舌片
５２  基部
５３  頭部
５４，５５  突出部
【図１】
2014184970.tif 000003
【図２】
2014184970.tif 000004
【図３】
2014184970.tif 000005
【図４】
2014184970.tif 000006
【図５】
2014184970.tif 000007
【図６】
2014184970.tif 000008
【図７】
2014184970.tif 000009
【図８】
2014184970.tif 000010
【図９】
2014184970.tif 000011
【図１０】
2014184970.tif 000012
【図１１】
2014184970.tif 000013
【図１２】
2014184970.tif 000014